(57)【要約】【課題】薄形にしてフレキシブルな情報記録ディスクを安定に収納可能なディスクカートリッジを提供する。【解決手段】ディスクカートリッジを、開口部１ａを有する箱状のカートリッジ本体１と、ディスク収納凹部３ａを有し開口部１ａを通してカートリッジ本体１の内部に出入自在に収納される複数枚のディスクトレイ３と、各ディスクトレイ３上に載置される複数枚の情報記録ディスク４とから構成する。ディスクトレイ３の上面にディスク収納凹部の周壁に続く壁面を有する突起３ｅを形成すると共に、ディスクトレイ３の下面に突起３ｅを挿入可能な溝３ｆを設ける。複数枚のディスクトレイ３をカートリッジ本体１内に所定の配列で収納したとき、隣接して配置される一方のディスクトレイ３の突起３ｅを他方のディスクトレイ３の溝３ｆ内に摺動可能に挿入する。【選択図】図５
2006294086.tif 000002
【特許請求の範囲】
【請求項１】
開口部を有する箱状のカートリッジ本体と、ディスク収納凹部を有し前記開口部を通して前記カートリッジ本体の内部に出入自在に収納される複数枚のディスクトレイと、当該複数枚のディスクトレイのそれぞれに１枚ずつ載置される複数枚の情報記録ディスクとからなり、前記カートリッジ本体の内面に所定のピッチで相平行に形成されたガイドリブにより前記複数枚のディスクトレイのそれぞれを保持するディスクカートリッジにおいて、
前記ディスクトレイの上面に前記ディスク収納凹部の周壁に続く壁面を有する突起を形成すると共に、前記ディスクトレイの下面に前記突起を挿入可能な溝を設け、前記複数枚のディスクトレイを前記カートリッジ本体内に所定の配列で収納したとき、隣接して配置される一方のディスクトレイの突起を他方のディスクトレイの溝内に摺動可能に挿入したことを特徴とするディスクカートリッジ。
【請求項２】
前記突起を前記ディスク収納凹部の周辺部に３箇所以上等分に形成したことを特徴とする請求項１に記載のディスクカートリッジ。
【発明の詳細な説明】
【技術分野】
【０００１】
本発明は、カートリッジ本体内に複数枚のディスクトレイ及び当該ディスクトレイ上に載置された複数枚の情報記録ディスクを収納してなるチェンジャー用のディスクカートリッジに係り、特に、薄形にしてフレキシブルな情報記録ディスクを収納するディスクカートリッジにおける情報記録ディスクの収納安定性を改善する手段に関する。
【背景技術】
【０００２】
従来より、カートリッジ本体内に複数枚のディスクトレイ及び情報記録ディスクを収納してなり、ディスクドライブ装置に着脱自在に装着して使用されるチェンジャー用のディスクカートリッジが提案されている（例えば、特許文献１参照。）。
【０００３】
図７は特許文献１に開示されたディスクカートリッジの断面図、図８は特許文献１に開示されたディスクカートリッジのカートリッジ本体に対するディスクトレイ及び情報記録ディスクの収納状態を開口部側から見た要部断面図である。これらの図から明らかなように、本例のディスクカートリッジは、開口部１０１ａを有する箱状のカートリッジ本体１０１と、ディスク収納凹部１０２ａを有し開口部１０１ａを通してカートリッジ本体１０１の内部に出入自在に収納される複数枚のディスクトレイ１０２と、各ディスクトレイ１０２上に１枚ずつ載置される複数枚の情報記録ディスク１０３とから構成されている。
【０００４】
図８に示すように、カートリッジ本体１０１の内面には、必要数のガイドリブ１０４が所定のピッチで相平行に形成されており、ディスクトレイ１０２の左右両端部には、隣接する各ガイドリブ１０４間の隙間の大きさよりも薄肉の係合部１０２ｂが形成されていて、ディスクトレイ１０２は、係合部１０２ｂをガイドリブ１０４に係合することにより、カートリッジ本体１０１内に安定に保持される。隣接する２つのガイドリブ１０４間の隙間の大きさと係合部１０２ｂの板厚との差ｄは、カートリッジ本体１０１内におけるディスクトレイ１０２の摺動性を確保するため、通常０．１ｍｍ〜０．２ｍｍ程度に設定される。
【特許文献１】特開２０００−４０３２４号公報
【発明の開示】
【発明が解決しようとする課題】
【０００５】
ところで、近年においては、カートリッジ本体内に収納可能な情報記録ディスクの枚数を増加し、テラバイトクラスの記録容量を有するディスクカートリッジを実現するため、基板厚が０．１ｍｍ程度のフレキシブルな基板を備えた情報記録ディスクの研究開発が行われている。
【０００６】
基板厚が１．０ｍｍ〜１．２ｍｍの硬質基板を備えたＣＤ（コンパクトディスク）やＤＶＤ（デジタル多用途ディスク）などを情報記録ディスク１０３として用いる場合には、隙間ｄよりも基板厚の方が十分に大きいので、情報記録ディスク１０３が何らかの原因によってディスク収納凹部１０２ａから飛び出した場合にも、情報記録ディスク１０３がディスクトレイ１０２の係合部１０２ｂとガイドリブ１０４との間の隙間ｄに噛み込まれるということはあり得ない。しかし、基板厚が０．１ｍｍ程度のフレキシブルな基板を備えた情報記録ディスクを情報記録ディスク１０３として用いる場合には、外力を受けたときに情報記録ディスク１０３が容易に弾性変形するため、本質的に情報記録ディスク１０３がディスク収納凹部１０２ａ内から飛び出しやすく、かつ隙間ｄと基板厚とがほぼ同程度であるので、図９に示すように、情報記録ディスク１０３の外周部がディスクトレイ１０２の係合部１０２ｂとガイドリブ１０４との間の隙間ｄに噛み込まれる恐れがある。かかる不都合が発生すると、単にディスクトレイ１０２の円滑な動作が害されるばかりでなく、最悪の場合には、情報記録ディスク１０３の情報記録層が破壊されて情報の記録再生が不可能になる。
【０００７】
本発明は、かかる従来技術の不備を解決するためになされたものであり、その目的は、薄形にしてフレキシブルな情報記録ディスクを安定に収納可能なチェンジャー用のディスクカートリッジを提供するにある。
【課題を解決するための手段】
【０００８】
本発明は、上記課題を解決するため、開口部を有する箱状のカートリッジ本体と、ディスク収納凹部を有し前記開口部を通して前記カートリッジ本体の内部に出入自在に収納される複数枚のディスクトレイと、当該複数枚のディスクトレイのそれぞれに１枚ずつ載置される複数枚の情報記録ディスクとからなり、前記カートリッジ本体の内面に所定のピッチで相平行に形成されたガイドリブにより前記複数枚のディスクトレイのそれぞれを保持するディスクカートリッジにおいて、前記ディスクトレイの上面に前記ディスク収納凹部の周壁に続く壁面を有する突起を形成すると共に、前記ディスクトレイの下面に前記突起を挿入可能な溝を設け、前記複数枚のディスクトレイを前記カートリッジ本体内に所定の配列で収納したとき、隣接して配置される一方のディスクトレイの突起を他方のディスクトレイの溝内に摺動可能に挿入するという構成にした。
【０００９】
このように、ディスクトレイの上面及び下面に所要の突起及び溝を形成し、複数枚のディスクトレイをカートリッジ本体内に所定の配列で収納したとき、隣接して配置される一方のディスクトレイの突起を他方のディスクトレイの溝内に摺動可能に挿入すると、仮に情報記録ディスクが外力を受けて弾性変形した場合にも、情報記録ディスクの外周部が突起によって係止され、ディスク収納凹部の周壁よりも外側への飛び出しが防止されるので、ディスクトレイの係合部とガイドリブとの間の隙間への情報記録ディスクの噛み込みが防止される。
【００１０】
また、本発明は、前記構成のディスクカートリッジにおいて、前記突起を前記ディスク収納凹部の周辺部に３箇所以上等分に形成するという構成にした。
【００１１】
このように、突起をディスク収納凹部の周辺部に３箇所以上等分に形成すると、ディスク収納凹部の全周方向に関して情報記録ディスクの飛び出しが完全に防止されるので、ディスクトレイの係合部とガイドリブとの間の隙間への情報記録ディスクの噛み込みが完全に防止される。
【発明の効果】
【００１２】
本発明のディスクカートリッジは、ディスクトレイの上面及び下面に所要の突起及び溝を形成し、複数枚のディスクトレイをカートリッジ本体内に所定の配列で収納したとき、隣接して配置される一方のディスクトレイの突起を他方のディスクトレイの溝内に摺動可能に挿入するので、ディスクトレイの係合部とガイドリブとの間の隙間への情報記録ディスクの噛み込みが防止され、噛み込みに起因する種々の不都合、例えばディスクトレイの動作不良や情報記録層の破壊を防止することができる。
【発明を実施するための最良の形態】
【００１３】
以下、本発明に係るディスクカートリッジの実施形態を、図１乃至図６に基づいて説明する。図１は実施形態に係るディスクカートリッジのディスクドライブ未装着時の状態を示す斜視図、図２は実施形態に係るディスクカートリッジのディスクドライブ装着時の状態を示す斜視図、図３は実施形態に係るディスクトレイの上面図、図４は実施形態に係るディスクトレイの下面図、図５は図３のＡ−Ａ断面図、図６は実施形態に係るディスクカートリッジのカートリッジ本体に対するディスクトレイ及び情報記録ディスクの収納状態を開口部側から見た要部断面図である。
【００１４】
図１及び図２に示すように、本例のディスクカートリッジは、一側面に開口部１ａを有する箱状のカートリッジ本体１と、カートリッジ本体１に旋回可能に取り付けられ開口部１ａを開閉するシャッタ２と、開口部１ａを通してカートリッジ本体１の内部に出入自在に収納される複数枚のディスクトレイ３と、各ディスクトレイ３上に１枚ずつ載置される複数枚の情報記録ディスク４とからなる。
【００１５】
カートリッジ本体１は、プラスチックの射出成形品又はその組立品をもって所要の大きさの箱状に形成されており、その側壁内面には、図６に示すように、必要数のガイドリブ１ｂが所定のピッチで相平行に形成されている。
【００１６】
シャッタ２もプラスチックの射出成形品をもって形成されており、支持軸２ａを介してカートリッジ本体１に旋回可能に取り付けられる。シャッタ２は、カートリッジ本体１がディスクドライブ装置に装着される以前には、図１に示すように開口部１ａを完全に閉止してカートリッジ本体１内への塵埃等の侵入を防止し、カートリッジ本体１がディスクドライブ装置に装着されたときには、図２に示すように開口部１ａを完全に開放して必要なディスクトレイ３及び情報記録ディスク４の搬出又は搬入を可能にする。
【００１７】
ディスクトレイ３もプラスチックの射出成形品をもって形成される。本例のディスクトレイ３は、図３乃至図５に示すように、外形がカートリッジ本体１内に収納可能な略矩形に形成されており、中央部には情報記録ディスク４を収納可能なディスク収納凹部３ａが形成されている。ディスク収納凹部３ａは、情報記録ディスク４の外径よりもやや大きな直径を有する周壁３ｂと、当該周壁３ｂの下端部より内側に張り出した薄肉のディスク受け３ｃとから構成されており、ディスク受け３ｃの突出量ｓは、ディスク受け３ｃが情報記録ディスク４の外周非記録領域にのみ当接するように設定される。
【００１８】
また、ディスクトレイ３の左右両側部には、隣接する各ガイドリブ１ｂ間の隙間の大きさｄよりも薄肉の係合部３ｄが形成されている。隣接する２つのガイドリブ１ｂ間の隙間の大きさと係合部３ｄの板厚との差ｄは、カートリッジ本体１内におけるディスクトレイ３の摺動性を確保するため、０．１ｍｍ〜０．２ｍｍ程度に設定される。
【００１９】
さらに、ディスクトレイ３の上面には、係合部３ｄと平行に延びる４本の線状の突起３ｅが形成されており、各突起３ｅの内端を構成する壁面は、ディスク収納凹部３ａの周壁３ｂと同一面になっている。また、このディスクトレイ３の下面には、前記突起３ｅを摺動可能に挿入可能な溝３ｆが係合部３ｄと平行に形成されている。したがって、図６に示すように、複数枚のディスクトレイ３をカートリッジ本体１の側壁内面に形成された各ガイドリブ１ｂの間に収納したとき、隣接して配置される一方のディスクトレイ３の突起３ｅが他方のディスクトレイ３の溝３ｆ内に摺動可能に係合される。なお、各突起３ｅは、内端を構成する各壁面がディスク収納凹部３ａを構成する周壁３ｂの周囲にほぼ等分に配置されるように形成される。
【００２０】
加えて、ディスクトレイ３の前端部には、図３及び図４に示すように、ディスクドライブ装置に備えられたトレイ操作アームＡを係合するためのフック３ｇが形成されている。なお、本例においては、フック３ｇが１つのみ形成されているが、ディスクトレイ３の前端部に２つのフック３ｇを左右対称に形成することもできる。
【００２１】
情報記録ディスク４は、厚みが０．１ｍｍ程度のプラスチックシートからなるディスク基板の片面又は両面に情報記録膜を含む所要の薄膜を成膜してなる。情報記録膜としては、例えば磁気記録膜又は光磁気記録膜などの公知に属する任意の情報記録膜を形成することができる。
【００２２】
本例のディスクカートリッジは、ディスクトレイ３の上面及び下面に４本の線状の突起３ｅ及び溝３ｆをほぼ等分に形成し、複数枚のディスクトレイ３をカートリッジ本体１内に所定の配列で収納したとき、隣接して配置される一方のディスクトレイ３の突部３ｅを他方のディスクトレイ３の溝部３ｆ内に摺動可能に挿入するので、情報記録ディスク４が外力を受けて弾性変形した場合にも、情報記録ディスク４の外周部が突起３ｅの内端によって係止され、ディスク収納凹部３ａの周壁３ｂよりも外側への飛び出しが防止される。よって、ディスクトレイ３の係合部３ｄとカートリッジ本体１のガイドリブ１ｂとの間の隙間への情報記録ディスク４の噛み込みが防止され、噛み込みに起因するディスクトレイ３の動作不良や情報記録ディスク４の情報記録層の破壊を防止することができる。
【００２３】
なお、前記実施形態においては、トレイ３に４本の突起３ｅを形成したが、突起の数についてはこれに限定されるものではなく、任意の数に設定することができる。但し、ディスク収納凹部３ａからの情報記録ディスク４の飛び出しを完全に防止するためには、３個以上の突起をディスク収納凹部３ａの周壁３ｂに沿って等分に形成することが好ましい。
【００２４】
また、前記実施形態においては、トレイ３に線状の突起３ｅを形成したが、突起の形状についてはこれに限定されるものではなく、点状の突起をディスク収納凹部３ａの周壁３ｂに沿って形成するという構成にすることもできる。
【図面の簡単な説明】
【００２５】
【図１】実施形態に係るディスクカートリッジのディスクドライブ未装着時の状態を示す斜視図である。
【図２】実施形態に係るディスクカートリッジのディスクドライブ装着時の状態を示す斜視図である。
【図３】実施形態に係るディスクトレイの上面図である。
【図４】実施形態に係るディスクトレイの下面図である。
【図５】図３のＡ−Ａ断面図である。
【図６】実施形態に係るディスクカートリッジのカートリッジ本体に対するディスクトレイ及び情報記録ディスクの収納状態を開口部側から見た要部断面図である。
【図７】従来例に係るディスクカートリッジの断面図である。
【図８】従来例に係るディスクカートリッジのカートリッジ本体に対するディスクトレイ及び情報記録ディスクの収納状態を開口部側から見た要部断面図である。
【図９】従来例に係るディスクカートリッジの不都合を示す要部断面図である。
【符号の説明】
【００２６】
１    カートリッジ本体
１ａ    開口部
１ｂ    ガイドリブ
２    シャッタ
２ａ    支持軸
３    ディスクトレイ
３ａ    ディスク収納凹部
３ｂ    周壁
３ｃ    ディスク受け
３ｄ    係合部
３ｅ    突起
３ｆ    溝
３ｇ    フック
４    情報記録ディスク
【図１】
2006294086.tif 000003
【図２】
2006294086.tif 000004
【図３】
2006294086.tif 000005
【図４】
2006294086.tif 000006
【図５】
2006294086.tif 000007
【図６】
2006294086.tif 000008
【図７】
2006294086.tif 000009
【図８】
2006294086.tif 000010
【図９】
2006294086.tif 000011